(57)【特許請求の範囲】
【請求項１】
細胞標本を走査するシステムにおいて：
細胞標本スライドを支持するように構成された電動ステージと；
前記電動ステージに操作可能に連結されたプロセッサと；
前記プロセッサに操作可能に連結された走査コントローラと；を具え、
前記走査コントローラの操作が、
第１の走査線に沿って前記細胞標本スライドの第１の部分を制御可能に走査するための、前記第１の走査線に沿った前記電動ステージの移動の手動制御と、
第２の走査線に沿って前記細胞標本スライドの第２の部分を制御可能に走査するための、前記第２の走査線に沿った前記電動ステージの移動の手動制御と、
を提供するように、前記電動ステージと、前記プロセッサと、前記走査コントローラとが構成されており、
前記システムがさらに、前記第１の走査線から前記第２の走査線に前記電動ステージが手動または自動で割送り（ｉｎｄｅｘ）されうるように構成されており、
前記走査コントローラが、前記第１および第２の走査線に沿って前記電動ステージの移動を手動制御できる場合に回転可能である第１の回転制御要素と、前記第１の回転制御要素と同軸であって、前記電動ステージを手動割送りできる場合に回転可能である第２の回転制御要素とを具える同軸コントローラであり、
前記プロセッサは、前記第１または第２の走査線に沿って前記電動ステージの移動を手動制御している間は前記第２の回転制御要素を使用不能とするように構成されていることを特徴とするシステム。
【請求項２】
請求項１に記載のシステムにおいて、前記プロセッサが、前記電動ステージが前記第１の走査線の終点に手動で配置されたのを検出して、使用不能な状態にある前記第２の回転制御要素を使用可能にするように構成されており、前記第１の走査線から前記第２の走査線に前記電動ステージを割送りするために前記第２の回転制御要素が回転可能となることを特徴とするシステム。
【請求項３】
請求項１および２のいずれかに記載のシステムにおいて、前記プロセッサに操作可能に連結された観察コントローラをさらに具えており、当該観察コントローラは、他の電動ステージ位置において前記細胞標本の選択部分を手動で観察できるように現在の電動ステージの位置における前記細胞標本の走査を一時停止するように構成されていることを特徴とするシステム。
【請求項４】
請求項１および２のいずれかに記載のシステムにおいて、前記走査コントローラが前記プロセッサに操作可能に連結された観察コントローラを具えており、当該観察コントローラは前記電動ステージを手動で割送りするために押すことができる少なくとも１つのボタンを具えることを特徴とするシステム。
【請求項５】
請求項４に記載のシステムにおいて、前記観察コントローラが、他の電動ステージ位置において前記細胞標本の選択部分を手動で観察できるように、現在の電動ステージの位置において前記細胞標本の走査を一時停止するように構成されることを特徴とするシステム。
【発明の詳細な説明】
【技術分野】
【０００１】
本発明は自動顕微鏡の制御に関し、より具体的には、自動顕微鏡を利用する細胞標本の制御可能な走査に関する。
【背景技術】
【０００２】
医療産業では、例えば、細胞学者または他の使用者といった検査技師が、特定の細胞タイプが存在する細胞標本を観察する必要性がしばしばある。一般的な細胞学的手法は「パップスメア（Ｐａｐ  ｓｍｅａｒ）」検査であり、異常細胞、子宮頸癌の始まりとなる前駆体の存在を検知するために、女性の子宮頸から細胞を掻爬し、その細胞を分析することを含む。細胞学的手法は、人間の身体の他の部位における異常細胞および病気を検知するためにも用いられる。
【０００３】
得られた細胞試料はしばしば溶液の中に配置され、次いで回収され、拡大して見るためにガラススライドに移される。検査を容易にすると共に、長期保管を目的として標本を保護するために、通常は固定液および染色溶液がガラススライド上で細胞に投与され、しばしば細胞スメアと呼ばれる。準備が整った標本は、図１Ａおよび図１Ｂに全体が図示される顕微鏡１００のような顕微鏡を用いて検査され、この顕微鏡は（例えば、図２に示されるような）生物標本２０２を有する標本スライド２００を支持する表面１１２付のステージ１１０を具える。
【０００４】
使用者がステージ１１０を動かせるように、１以上の制御ノブが設けられている。図１Ａおよび図１Ｂに示されるように、顕微鏡１００は、一方向（例えば、ｘ方向）にステージ１１０を移動させる第１のノブ１２１と、異なる方向（例えば、ｙ方向）にステージ１１０を移動させる第１のノブ１２１と同軸上の第２のノブ１２２とを具える同軸制御ノブ１２０を具えてもよい。タングステン−ハロゲン光源のような光源１３０がステージ１１０より下に配置され、標本２０２を照光する。対物レンズ１４０は標本２０２の拡大画像を形成し、細胞学者は接眼レンズ１５０を通して拡大画像を観察することができる。焦点の調整は、同軸焦点ノブ１６１、１６２（例えば、粗調整用および微調整用）を具える焦点制御１６０を用いて行われ、ステージ１１０を垂直（例えば、ｚ方向）に移動させることがきる。顕微鏡構成部品のさらなる態様は、米国特許出願公開第２００７／０１３９６３８（Ａ１）号に記載されている。
【０００５】
マシンビジョン装置および自動システムはさらに、生物標本の画像を取得して分析するために用いられる。図３に示された、ある既知の自動システム３００は、自動画像顕微鏡またはステーション３１０と、処理サーバ３２０と、自動観察ステーション３３０とを具える。
【０００６】
画像ステーション３１０は、画像顕微鏡３１６を通して観察される標本２０２の画像を取得するカメラ３１２を具える。さらに図４を参照すると、電動ステージ３１４は、１以上のモータ４０２と、プロセッサ４０４およびメモリ４０６のような付属の電子部品とを具えるステージの制御構成部品またはモジュール４００を具えるか、あるいは操作可能に連結され、モータ４０２とステージ３１４およびその上のスライド２００の位置とを制御するのに用いられる。再び図３を参照すると、カメラ３１２が生成した画像データ３１８は、１以上のプロセッサ３２１乃至３２３（通常、プロセッサ３２１と称される）と、メモリ３２４とを具えるサーバ３２０に提供されて、画像データ３１８は処理され、観察ステーション３３０に提供される結果が記録される。
【０００７】
いくつかの自動スクリーニングシステムでは、プロセッサ３２１は、各標本２０２内の正常および異常な（または疑わしい）生物材料の間を線引きする。つまり、プロセッサ３２１は、診断情報を用いてスライド２００上の最適な生物対象とその位置（例えば、ｘ−ｙ座標）とを決定する。あるシステムでは、サーバ３２０は画像データ３１８を処理して、画像データ３１８内の「関心対象」（ＯＯＩ）を認識する。ＯＯＩは標本２０２の各細胞および細胞クラスタを形成してもよい。１以上のＯＯＩは規定された境界または関心視野（ＦＯＩ）の視野領域内にまとめられ、これは様々な形状に規定され、異なる数のＯＯＩを含むことができる。ＦＯＩは、（ｘ、ｙ）座標に基づいて認識される。ある既知の自動システムは、２２のＦＯＩ、または２２組の（ｘ、ｙ）座標を認識する。ＯＯＩおよびＦＯＩのさらなる態様は、米国特許第７，０８３，１０６号および米国特許出願公開第２００４／０２５４７３８（Ａ１）号に記載されている。
【０００８】
プロセッサ３２１は、例えば、何れの特定の細胞または対象に悪性腫瘍または前悪性腫瘍といった異常な状態を有する危険があるかの程度に基づいて、認識されたＯＯＩを分類するように構成されてもよい。例えば、プロセッサ３２１は細胞核の総合的または平均の光学密度についてＯＯＩを測定し、光学密度値によってＯＯＩを分類してもよい。ＯＯＩおよびＦＯＩの座標情報は、観察ステーション３３０を利用するその後の処理、観察または分析のために記録されうる。
【０００９】
細胞学者が、観察顕微鏡３３６と電動ステージ３３４とを用いてスライド２００を観察する時、ＯＯＩ／ＦＯＩの位置情報が観察顕微鏡３３６に提供され、先に認識されたＦＯＩを通して自動的に実行を進め、ＯＯＩを細胞学者に示す。ある自動システムでは、観察ステーション３３０はマウスのようなジョイスティックを具えており、スライド２００を移動させるのに用いられる。例えば、あるシステムは、「次」および「前」ボタンを具えており、次のＦＯＩおよび前のＦＯＩに移動させるのに用いられる。
【００１０】
標本の観察中、細胞学者が疑わしい細胞を認識しない場合、このスライドは正常だと考えられる。この場合、細胞領域２０２全体を走査する必要はない。しかしながら、細胞学者がＦＯＩ内に疑わしい細胞またはＯＯＩを認識した場合、細胞学者は「マーク」ボタンを押すことによって、これらのＯＯＩを電子的に記録することができ、スライドの観察が完了する前に標本または細胞領域２０２全体を走査しなければならない。
【００１１】
図５は、つづら折りの走査パターンを利用して細胞領域２０２全体を走査する一方法を示す。図示された実施例では、第１の走査線またはコード５００ａ（通常、「走査線５００」と称する）の開始点５０２ａ（通常、開始点５０２と称する）から走査が始まり、第１の走査線５００ａ上のある位置５１０（点で示す）における細胞領域２０２の第１の部分全体にわたって横切り（例えば、図示された例では左から右に移動する）、細胞領域２０２の境界２０４を超えて（細胞領域２０２の長さまたは幅全体を確実に走査するため）、第１の走査線５００ａの終点５０３ａ（通常、終点５０３と称する）まで移動する。自動システムは、５２０ａを下方の第２または次の走査線５００ｂに割送ることにより、走査線５００ｂの開始点５０２ｂから終点５０３ｂまで（例えば、右から左へ）細胞領域２０２の第２の部分が走査され、終点５０３ｂの地点で５２０ｂを再度次の走査線５００ｃの開始点５０２ｃに割送り、これが繰り返されて、細胞領域２０２を１００％走査する。
【００１２】
走査を目的として、既知の自動システムは、細胞学者によって走査かつ観察される細胞領域２０２を配置する電動ステージ３３４を具える。第１の走査モードでは、電動ステージ３３４およびスライド２００は、スローな動画と似た方法で、（例えば、図５に示されるように）あらかじめ指定された走査線５００に沿って連続的に移動する。第２の走査モードでは、電動ステージ３３４は、走査線５００上の位置５１０にスライド２００を移動させるために制御され、次の位置５１０に移動する前に予め指定された時間それぞれの位置５２０で中断し、再度中断し、再度移動し、各走査線５００上の各位置５１０で繰り返す。第３の走査モードでは、ステージ３３４およびスライド２００は走査線５００上の固定位置５１０に移動し、使用者がボタン（例えば、観察を制御するのに用いられる「次」ボタン）を押すまでその位置５１０に留まり、走査線５００上の次の位置５１０に移動する。
【００１３】
自動の走査モードは効果的に利用されてきたが、多くの制限や制約があり、改善されうる。走査のパラメータに関する使用者の制御または入力は、例えあったとしても著しく、非常に制限される。例えば、上記の第１のモードでは、ステージおよびスライドは連続的に移動し、ステージおよびスライドが移動する速度のみジョイスティックを使って調整されうる。上記の第２の走査モードでは、使用者の希望または入力に拘わらず走査は進行し、第３の走査モードでは、使用者による制御が次の位置に進めるボタンを押すことに制限される。
【００１４】
従って、既知の自動スクリーニングシステムの一部の走査モードでは、使用者は走査の停止または中断、走査方向を変更する時を選択することができない、および／または現行の走査経路上にない標本の異なる部分を観察するために走査位置を移動させることができない。さらに、ある既知のシステムでは、使用者は所望の時間、特定の位置で停止または中断することができない代わりに、十分な時間が経過すると次の位置に移動する。さらに、ある既知のシステムは、進行中に行うことができる制御調整を設けていない。加えて、既知の特定のシステムでは、走査が進むように、正確な順番かつ前述の方法で走査が進行する。このように、既知のシステムは一方向性であり、使用者は前に戻って、前に観た部分を観察することができない。従って、既知の自動走査システムは、制御と自由度とを制限する。
【００１５】
これらの走査制御の制限事項は制約があって不便であり、標本の選択部分を観察するために、使用者は別個の従来の手動顕微鏡を利用する必要がある。
【発明の概要】
【００１６】
一実施形態は細胞標本を走査する方法に関し、当該方法は、第１の走査線に沿って細胞標本を具えるスライドを支持する電動ステージの移動を手動制御して、第１の走査線に沿って細胞標本の第１の部位を制御可能に走査するステップと、第１の走査線から第２の走査線に電動ステージを手動割送りするステップと、第２の走査線に沿って電動ステージの移動を手動制御して、第２の走査線に沿って細胞標本の第２の部分を制御可能に走査するステップとを具える。
【００１７】
他の実施形態は細胞標本を走査する方法に関し、当該方法は、第１の走査線に沿って細胞標本を具えるスライドを支持する電動ステージの移動を手動制御して、第１の走査線に沿って細胞標本の第１の部分を制御可能に走査するステップと、第１の走査線から第２の走査線に電動ステージを自動割送りするステップと、第２の走査線に沿って電動ステージの移動を手動制御して、第２の走査線に沿って細胞標本の第２の部分を制御可能に走査するステップとを具える。
【００１８】
他の実施形態によると、細胞標本を走査するためのシステムは、電動ステージと、プロセッサと、走査コントローラとを具える。電動ステージは細胞標本スライドを支持するように構成されており、プロセッサは電動ステージに操作可能に連結され、走査コントローラはプロセッサに操作可能に連結される。走査コントローラを制御することにより、第１の走査線に沿って電動ステージの移動を手動動御して第１の走査線に沿って細胞標本スライドの第１の部分を制御可能に走査し、第１の走査線から第２の走査線に電動ステージを手動割送りし、第２の走査線に沿って電動ステージの移動を手動制御して第２の走査線に沿って細胞標本スライドの第２の部分を制御可能に走査するように、電動ステージと、プロセッサと、走査コントローラとが構成される。
【００１９】
さらに代替の実施形態は細胞標本を走査するためのシステムに関し、当該システムは、電動ステージと、プロセッサと、走査コントローラとを具える。電動ステージは細胞標本スライドを支持するように構成されており、プロセッサは電動ステージに操作可能に連結され、走査コントローラはプロセッサに操作可能に連結される。走査コントローラを操作することにより、第１の走査線に沿って電動ステージの移動を手動制御して第１の走査線に沿って細胞標本の第１の部分を制御可能に走査し、第２の走査線に沿って電動ステージの移動を手動制御して第２の走査線に沿って細胞標本の第２の部分を制御可能に走査するように、電動ステージと、プロセッサと、走査コントローラとが構成されており、電動ステージが第１の走査線から第２の走査線へ自動的に割送られるように、プロセッサと走査コントローラとが更に構成されている。
【００２０】
１以上の実施形態では、電動ステージが移動する方向を手動制御することにより、第１および第２の走査線それぞれに沿って電動ステージの移動が手動制御される。例えば、第１の走査線に沿って電動ステージの移動が第１の方向に手動制御され、他の走査線に沿って第２の、反対方向に手動制御されてもよい。１以上の実施形態では、電動ステージは非連続的に移動するように制御され、複数の走査線のうちの１走査線上の選択された位置において一時的に中断してもよい。さらに、電動ステージの移動速度は手動制御されてもよい。
【００２１】
１以上の実施形態では、第１の走査線の終点から第２の走査線の開始点に電動ステージが手動割送りされる。例えば、１以上の実施形態では、同軸コントローラを操作することによりステージの移動を手動制御することができ、これは第１の回転制御要素と、第１の回転制御要素に同軸の第２の回転制御要素とを具えてもよい。第１の回転制御要素を回転させて第１および第２の走査線に沿って電動ステージの移動を手動制御することができ、第２の回転制御要素を回転させて他の走査線に電動ステージを手動割送りすることができる。この目的のため、回転制御要素の１つを操作また作業中、他の回転制御要素は使用不能としてもよい。同軸コントローラを利用して第１の走査線の終点から第２の走査線の開始点に電動ステージがさらに手動割送りされてもよい。
【００２２】
第１の回転制御要素でステージの移動を手動制御中、第２の回転制御要素は使用不能としてもよい。電動ステージが第１の走査線の終点に手動で配置されるのを検出次第または検出後、前は使用不能であった第２の回転制御要素が使用可能になり、これにより第２の回転制御要素を回転させることにより電動ステージが第１の走査線から第２の走査線へ割送ることができ、この間第１の回転制御要素は使用不能としてもよい。電動ステージが次または第２の走査線に割送りされたことを検出した後、第２の回転制御要素は使用不能としてもよい。
【００２３】
さらに、１以上の実施形態では、使用者または操作者によって観察制御が作動され、細胞標本の走査を一時停止して、後で利用するためにメモリに記憶することができる現在の位置から、他の位置へ電動ステージが手動で移動可能となることにより、操作者は標本の異なる部分をローミングできるようになり、観察制御を用いて関心対象といった細胞標本の選択部分を観察することができる。ローミングが完了した後、例えばプロセッサによって走査が再始動され、走査が一時停止したと記録された位置に電動ステージが再配置され、これにより走査線に沿って走査するためにステージの移動の手動制御が再開されてもよい。観察制御はさらに、電動ステージを他の走査線に手動割送りするために利用されるか、あるいは割送りは自動でもよい。
【００２４】
自動割送りを含む１以上の実施形態では、第１の走査線の終点から第２の走査線の開始点に電動ステージが自動割送りされ、ステージの方向および速度は手動制御されうる。ステージはさらに、選択した位置で一時停止することができる。このように、電動ステージは非連続的に移動することができる。
【００２５】
１以上の実施形態では、回転制御要素の１つが使用中は、プロセッサは、回転コントローラの他の回転制御要素が使用不能になるように構成される。例えば、プロセッサは、第１の走査線の終点に電動ステージが手動で配置されているのを検出し、第２の回転制御要素が第１の走査線から第２の走査線に電動ステージを割送りするよう回転可能となるように、前は使用不能だった第２の回転制御要素が使用可能となるように構成されてもよい。
【００２６】
１以上の実施形態では、観察コントローラはプロセッサに操作可能に連結され、走査コントローラは、電動ステージを手動で割送りするか、あるいは現在の電動ステージ位置における細胞標本の走査を一時停止するために押される少なくとも１のボタンを具える観察コントローラであり、他の電動ステージ位置における細胞標本の選択した部分を手動で観察することが可能となる。
【図面の簡単な説明】
【００２７】
図面を参照し、対応部分には同じ符号を付している。
【図１Ａ】図１Ａは、既知の顕微鏡の正面図である。
【図１Ｂ】図１Ｂは、既知の顕微鏡の側面図である。
【図２】図２は、生物標本スライドの斜視図である。
【図３】図３は、既知の生物標本の画像および観察システムの概略図である。
【図４】図４は、電動ステージの構成部品の概略図である。
【図５】図５は、細胞領域を走査するための、既知のつづら折りのパターンを示す。
【図６】図６は、標本走査の手動制御を提供する一実施形態により構成されたシステムの概略図である。
【図７】図７は、一実施形態による、走査線に沿って標本の走査を手動制御し、走査線間を手動割送りする方法のフローチャートである。
【図８】図８は、標本の走査を手動制御するための同軸コントローラを具える一実施形態により構築されたシステムを示す。
【図９】図９は、走査のタイミングまたは走査の中断時および走査の再開時を使用者が選択する実施形態を示す。
【図１０】図１０は、走査速度を使用者が選択する実施形態を示す。
【図１１】図１１は、複数の方向において単一の走査線に沿った走査を使用者が選択する実施形態を示す。
【図１２】図１２は、走査の制御要素を選択的に使用可能および使用不能にすることにより、標本の走査を手動制御する方法のフローチャートを示す。
【図１３】図１３は、一実施形態による手動割送りを示す。
【図１４】図１４は、一実施形態による手動割送りおよび手動逆割送りを示す。
【図１５】図１５は、他の実施形態による、標本を走査およびローミングする方法のフローチャートを示す。
【図１６】図１６は、標本全体にわたるローミングの一例を示す。
【図１７】図１７は、さらに他の実施形態による、標本の走査を手動制御し、他の走査線に自動割送りする方法のフローチャートを示す。
【図１８】図１８は、走査の制御と割送りするための実施形態が実装されうるシステムおよび方法における顕微鏡システムを示す。
【発明を実施するための最良の形態】
【００２８】
複数の実施形態は、より効果的に、使いやすく、便利かつ効率的な方法で使用者が自動スクリーニングシステムの細胞標本を制御可能に走査できると同時に、１００％の細胞領域の適用範囲を達成可能にするための方法およびシステムに関する。
【００２９】
図６を参照し、さらに図７を参照すると、一実施形態により構築された走査制御システム６００は、走査の制御要素または要素６１０（通常、走査コントローラ６１０と称される）を具えており、これは例えば、図３に示されるような観察ステーション３３０の電動ステージといった自動スクリーニングシステムの電動ステージ３３４に接続または操作可能に連結される。走査コントローラ６１０は、適切な制御インターフェイス４００、または例えば１以上のモータ４０２、プロセッサ４０４、メモリ４０６（図４に全体が示されるが、説明を簡単にするため図６には図示せず）といった他の適切な構成要素を経由して、電動ステージ３３４に接続されてもよい。図６は制御インターフェイス４００の全体を示すが、モータ４０２、プロセッサ４０４、メモリ４０６および他の構成要素は、他のシステムの構成要素の一部とすることができ、制御インターフェイス４００は説明を簡単にするため全体が示されていると理解するべきである。
【００３０】
使用時、使用者は走査コントローラ６１０を操作して、ステージ３３４の移動と、走査進行中のスライド２００およびその上の標本または細胞領域２０２の位置とを制御する。システム６００および方法７００の実施形態は、使用者がステップ７０５において第１の走査線５００またはコード（通常、走査線５００と称される）に沿って標本または細胞領域２０２の第１の部分の走査を手動制御し、ステップ７１０において現在の走査線５００から他の走査線５００、例えば次または近接する走査線５００に電動ステージ３３４を手動制御または割送り５２０し、次いでステップ７１５において、電動ステージ３３４の移動の手動制御を続けて、第２の走査線５００に沿って細胞領域２０２の第２の部分を制御可能に走査するように構成される。図７は、２つの走査線に沿った走査を含むステップを示すが、図７に示されるように、さらなる手動割送りおよび手動走査ステップが必要に応じて実施され、細胞領域２０２全体が観察されるまで細胞領域２０２のさらなる部分を制御可能に走査できる。走査線５１０に沿った細胞領域２０２の走査および割送り５２０を手動制御する機能は使用者による制御が殆どなく、使用者が走査線間の割送りを制御できない既知の自動走査システムと異なる。
【００３１】
図８は、第１および第２の回転制御要素８１１、８１２を具える同軸回転コントローラを形成する走査コントローラ６１０を有する一実施形態により構築されたシステム８００を図示しており、この回転制御要素は、図１Ａおよび図１Ｂに図示されたステージ制御ホイールまたはノブ１２１、１２２および焦点制御ホイールまたはノブ１６１、１６２と同様または同一である。回転制御要素８１１、８１２の一方または両方を回転させて、電動ステージ３３４の移動と、標本スライド２００の位置と、他の走査線５００へのステージ３３４の割送り５２０とを制御することができる。
【００３２】
例えば、図９を参照すると、一実施形態では、例えば外部または大型の回転制御要素８１１といった回転制御要素が使用者により回転させられて、使用者が指定および制御した速度で走査線５００上の異なる走査位置５１０に沿って移動してもよい。図示された実施形態では、使用者は回転制御要素８１１を回転させて、位置５１０（１）から位置５１０（２）に移動させて、位置５１０（２）で中断し、次いで回転制御要素８１１を回転させて、位置５１０（２）から、例えば位置５１０（３）を通って、位置５１０（４）に移動させることができ、使用者は所望によりこの位置で再度中断することができる。使用者は、回転制御要素８１１を回転させ続けて、位置５１０（４）から、例えば位置５１０（５）を通って、位置５１０（６）に移動させて、使用者が選択したタイミングおよび速度で、これを繰り返すことができる。一実施形態では、回転時に回転制御要素８１１の回転速度にかかわらず一定速度で走査が実行されるように回転制御要素８１１が構成されてもよいが、回転は必要に応じて中断かつ再開することができ、使用者はその裁量において、走査を停止、開始、および再開することができる。
【００３３】
図１０を参照すると、代替の実施形態では、使用者はさらに、細胞領域２０２の異なる部分を走査する速度を制御することができる。一実施形態によると、回転制御要素８１１が回転する速度は、特定の走査線５００に沿って細胞領域２０２を走査する速度に関連する。図示された実施形態では、回転制御要素８１１は第１の回転速度で回転して、第１の速度（１）で走査線５００に沿って細胞領域２０２の第１の部分を走査することができ、次いで使用者は回転制御要素８１１をさらに速く回転させて、さらに速い第２の速度（２）で細胞領域２０２の第２の部分を走査することができる。回転制御要素８１１はさらに、より遅く回転して、遅い第２の回転速度で第２の部分を走査してもよい。
【００３４】
他の実施形態では、実施形態のシステムおよび方法は、図９および図１０に示された組み合わせを含む。従って、この実施形態では、使用者は必要に応じて走査を開始かつ停止させて（図９に示される）、異なる速度で走査線５００上の異なる位置５１０を通って移動させてもよい（図１０に示される）。
【００３５】
図１１を参照すると、他の実施形態では、使用者が回転制御要素８１１を制御可能に回転させることにより、多方向の走査を行うことができる。図示された実施形態では、使用者は、一方向（例えば、反時計回り）に回転制御要素８１１を回転させて第１の方向（１）に走査を進め、次いで別の方向（例えば、時計回り）に同じ制御要素８１１を回転させて走査方向（２）を逆行させることができる。異なる方向に回転制御要素８１１を回転させることにより、使用者は所望により走査方向を変更することができ、これにより走査は所望により前進（３、５）、および逆進（４）できる。この方法では、走査すべき特定の位置５１０と、いつ、どの方向に走査が進むべきかを、使用者が制御し選択する。これらの機能を用いて、実施形態では、使用者は前に観た標本の一部を操作可能に観察して、この部分と現在観察している部分とを比較することが都合良く可能になり、これは既知の自動スクリーニングシステムでは不可能である。この実施形態はまた、使用者が細胞領域２０２を走査する方向、位置および／または速度を制御できるように、図８乃至図１０に示された１以上または総ての実施形態と組み合わされてもよい。
【００３６】
図１２および図１３を参照すると、他の実施形態による、細胞領域２０２を走査する方法１２００は、回転制御要素８１１、８１２の両方の操作を含み、走査線５００に沿って走査を手動制御し、他の走査線５００に手動割送り５２０をする。一実施形態では、ステップ１２０５において、例えば走査線５００の開始点５０２に配置された時、第１の回転制御要素８１１のような１つの回転制御要素が作動あるいは使用可能になる。回転制御要素８１１は使用者によって回転させられて、（図６乃至図１１を参照して上述されたように）電動ステージ３３４の移動と細胞領域２０２の走査とを手動制御する。他の回転制御要素８１２をこの目的のために用いてもよいが、説明を簡単にするため、第１の回転制御要素８１１について述べる。
【００３７】
ステップ１２１０の間、本実施例では、他の回転制御要素は第２の回転制御要素８１２であり、停止または使用不能になる。従って、第１の回転要素８１１を利用し、走査線５００の終点５０３に達しない間は、他の走査線５００に割送るために第２の回転制御要素８１２を使用することはできない。従って、一実施形態では、回転制御要素８１１、８１２の一方のみが、所定の時間において作動または使用可能になる。この方法では、実施形態によって、特定の走査線５００が完全に走査される前に不注意または早まって割送り５２０をすることがなくなり、各走査線５００全体が確実に走査され、さらに適切な割送り５２０が行われるように、走査位置が走査線５００の終点５０３に確実に保持される。
【００３８】
ステップ１２１５において、第１の走査線５００の走査が完了したか否かの判断がされる。もし完了していない場合、走査が第１の走査線５００の終点５０３に進むまでステップ１２０５が繰り返される。さらに図１３を参照すると、第１の走査線５００が終点５０３（１）まで完全に走査された場合、ステップ１２２０において、前は停止していた第２の回転制御要素８１２または割送り要素が作動または使用可能になり、かつ第１の回転制御要素８１１は停止または使用不能になる。使用可能および使用不能な状態は、同時または異なる時に起こりうる（例えば、図１２に示される）。説明を容易にするため、使用可能および使用不能な状態は、単一のステップ１２２０に示す。
【００３９】
図１３をさらに参照すると、ステップ１２２５において、第２の回転制御要素８１２が使用者によって回転させられて、第１の走査線５００ａの終点５０３ａから第２または次の走査線５００ｂの開始点５０２ｂに電動ステージ８３４を手動割送り５２０（２）する。
【００４０】
ステップ１２３０において、第２の回転コントローラ８１２は停止して、第１の回転コントローラ８１１は再び作動または使用可能になる。上述のように、これは同時または異なる時に起こりうる。図１３に示されるように、ステップ１２３５において、使用者によって第１の回転コントローラ８１１が回転させられて、次の走査線５００ｂ（３）に沿って走査を制御する。さらに走査線５００がある場合、図１２のステップが必要に応じて繰り返され、細胞領域２０２全体が観察されるまでさらなる走査線を制御可能に走査することができる。
【００４１】
図１２および図１３は、前述の方法、あるいは前述の割送りで走査を進めるために、割送り５２０を実行する実施形態を図示する。図１４を参照すると、他の実施形態では、使用者は、第２の回転制御要素８１２を制御して、後のまたは「次の」走査線５００から前の走査線５００に逆割送り１４２０をすることができる。これは、図１２に示された特定のステップを逆の順序で行うことにより実行される。
【００４２】
例えば、図１４に示された実施形態では、図１２に示された方法１２００を利用して、様々な位置５１０（１）に沿って走査線５００の終点５０３へ走査を進め、次の走査線５００の開始点５０２に下方へ割送り５２０（２）、図１２および図１３を参照して上述したように、次いで様々な位置５１０（３）に沿って走査を進めることができる。しかしながらこの時点において、使用者は、細胞領域２０２の前に観た部分を観察して、例えば当該部分と現在の標本部分とを比較することを希望することがありうる。実施形態によって、第１の回転制御要素８１１を反対または逆方向（４）に回転させ、走査線５００の開始点５０３に走査を配置し直して、第１の回転制御要素８１１を使用不能とし、かつ第２の回転制御要素８１２を使用可能とし、次いで第２の回転制御要素８１２を反対または逆方向に回転させて、前または上側の走査線５００に「逆」割送り１４２０（５）してもよい。第２の回転制御要素８１２が次いで使用不能になると、第１の回転制御要素８１１は使用可能になり、反対または逆方向に回転して、所望の走査位置（６）に後退することができる。
【００４３】
図１５および図１６を参照すると、標本の細胞領域２０２を走査する他の実施形態による方法１５００は、使用者が細胞領域２０２の選択部分を自由にローミングまたは観察できるようにしつつ、走査が中断または一時停止した位置５１０に戻る時を制御する。図示された実施形態では、ステップ１５０５において、（例えば、上述のように）第１および／または第２の回転制御要素８１１、８１２が使用者によって操作されて、第１または現在の走査線５００に沿って電動ステージ３３４の移動を手動制御する。ステップ１５１０において、使用者は観察制御を作動させて走査を中断することができ、かつ電動ステージ３３４の現在の位置５１０はステップ１５１５においてメモリに記録される。一実施形態によると、システムは、「次」ボタンを押すことによって観察制御の作動が実行されるように構成される。ステップ１５２０において、制限なく、かつ現在の位置５１０または現在の走査線５００に束縛されることなく、使用者は自由に電動ステージ３３４を移動させて、細胞領域２０２全体にわたってローミングできる。
【００４４】
例えば、図１６は、走査線５００（１）全体にわたる、走査線５００の終点５０３に達する前の最初の走査を図示しており、この時、例えば「次」ボタンを押して、使用者は観察制御要素を作動させることができる。使用者はその後、第１および第２の回転制御要素８１１、８１２を操作し、例えばこの実施例では、現在の走査線５００上にはない、選択した経路（２乃至６）に沿って、細胞領域２０２全体にわたって自由にローミングすることができる。
【００４５】
図１５を再び参照すると、使用者がローミングを完了した後、ステップ１５２５において、観察制御が（例えば、「次」ボタンを再度押すことにより）停止または使用不能になり、走査を再開できる。図示された実施例では、ローミングの終点における走査位置５１０は位置５１０（６）であり、現在の走査線５００上にはない。ステップ１５３０において、ステージ３４３は、前に記録された位置５１０に自動的に移動して戻り、観察制御が作動する前と同じ位置５１０から走査を再開する。ステップ１５３５において、電動ステージ３３４は手動制御され、走査線５００に沿って走査を完了し、次の走査線５００に割送り５２０をして、次の走査線５００を走査し、上述のようにこれを繰り返す。必要な場合は、所望に応じてローミングを再度実行することができる。図１５および図１６に示された実施形態はさらに、図９乃至図１４を参照して記載された１以上の実施形態に利用されてもよい。
【００４６】
上述の実施形態は、走査線５００に沿った走査の手動制御と、他の走査線５００への手動割送り５２０とを含む。図１７を参照すると、他の実施形態は、（図６乃至図１６を参照して記載されたような）手動の走査制御および自動割送り５２０（手動割送り５２０ではない）を含む、細胞領域２０２を走査する方法１７００に関する。より具体的には、ステップ１７０５において、走査線５００に沿った細胞領域２０２の走査は上述のように手動制御されており、ステップ１７１０において、第１の走査線５００の走査が完了し、走査線５００の終点５０３に達したか否かを判断する。一実施形態によると、ステップ１７１０は、ステージ３３４の位置をモニタリングするプロセッサ、センサまたは他の適切な構成部品により実行され、走査線５００の終点５０３に達したか否かを判断してもよい。否の場合、走査が第１の走査線５００の終点５０３に進むまでステップ１７０５および１７１０が繰り返される。ステップ１７１５において、走査線５００の終点５０３に達すると、使用者の入力がなくとも、走査線５００の終点から次の走査線５００の開始点５０２に電動ステージ３３４が自動割送りされる。ステップ１７２０において、第１の回転制御要素８１１を再度回転させて、自動割送りの後に、次または第２の走査線５００に沿った走査を制御してもよい。自動割送りおよび手動走査のステップは、細胞領域２０２全体が観察されるまで必要に応じて繰り返されてもよい。
【００４７】
従って、図１７に示された実施形態は、手動制御と自動制御との組み合わせを利用しており、ステージ３３４を次の走査線に手動割送りする必要なく、（例えば、以上の図６乃至１６を参照して記載されたように）走査を手動制御する機能を使用者に提供する。
【００４８】
特定の実施形態が図示および記載されたが、以上の記述は、これらの実施形態の範囲に限定することを意図しないと理解すべきである。様々な変更および改良が特許請求の範囲を超えることなく実施されうる。
【００４９】
例えば、実施形態が、回転できるホイールまたはノブを具える同軸コントローラを参照して記載されたが、標本部分を制御可能に走査するのに用いられる制御要素は他の制御部品でもよく、あるいは他の構成を有していてもよい。他の実施形態では、走査コントローラは、標本の観察を制御するのに通常用いられる構成部品でもよい。一実施形態では、同軸コントローラを用いる代わりに、走査コントローラは「次」ボタンまたは他の適切な観察制御とすることができ、通常、一連のＯＯＩ中の次のＯＯＩに進めるために利用される。この実施形態では、次ボタンは使用者に押されて、ある走査線から他の走査線へ手動割送りすることができる。従って、一実施形態では、手動制御は、例えば同軸制御要素またはその構成部品といった、ノブまたはホイール型のデバイスと、ＯＯＩを観察するのに通常利用される構成部品の両方を利用して実行されてもよい。
【００５０】
さらに、実施形態は電動ステージおよび同軸制御要素の使用の実施例を参照して記載されたが、実施形態は、走査するのに用いられる様々な種類の観察システムおよびデバイスにおいて使用されてもよい。例えば、図１８を参照すると、実施形態は様々な種類の画像および観察システムに実装することができ、一体型の画像／観察顕微鏡システム１８００の一例は、標本の画像化を行い、使用者が標本の画像化の結果、認識されたＯＯＩを観察できるように構成されている。図１８に示されたシステム１８００を用いて、コンピュータ１８１０、モニタまたはディスプレイ１８２０および付属の制御部品１８３０を同時に利用して、スライド２００の別個の生物標本を画像化および観察するために同じ顕微鏡を使用することができる。
【００５１】
さらに、実施形態は、標本の細胞領域の水平の走査を参照して記載されたが、実施形態は、垂直の走査または異なる角度における走査で利用されてもよい。
【００５２】
さらに、実施形態は、同軸コントローラを用いる手動制御の走査を参照して記載されたが、他の実施形態は、他の種類のコントローラを利用してもよい。例えば、観察制御要素上のスクロールホイールといったスクロールホイールが、他の実施形態により用いられてもよい。
【００５３】
実施形態は、上述の実施例と異なる様々な他の方法で実装されてもよい。従って、実施形態は、特許請求の範囲内に収まる代替例、改良例、および均等物を包含することを意図する。
【図１Ａ】
0005529039.tif 000002
【図１Ｂ】
0005529039.tif 000003
【図２】
0005529039.tif 000004
【図３】
0005529039.tif 000005
【図４】
0005529039.tif 000006
【図５】
0005529039.tif 000007
【図６】
0005529039.tif 000008
【図７】
0005529039.tif 000009
【図８】
0005529039.tif 000010
【図９】
0005529039.tif 000011
【図１０】
0005529039.tif 000012
【図１１】
0005529039.tif 000013
【図１２】
0005529039.tif 000014
【図１３】
0005529039.tif 000015
【図１４】
0005529039.tif 000016
【図１５】
0005529039.tif 000017
【図１６】
0005529039.tif 000018
【図１７】
0005529039.tif 000019
【図１８】
0005529039.tif 000020